【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
ユーザが屋外で見た実際の植物がどのような植物であるのかを携帯端末を用いてその場で把握することが可能な植物検索システムであって、
検索の際に利用される各植物のデータが格納されているデータベースを含むサーバと、ユーザが所有する携帯端末とが電子通信手段を介して接続され、
前記データベースが、
前記各植物の特徴を分類する最上層の特徴項目として樹木、葉、花及び実を含み、前記最上層の特徴項目から最下層の特徴項目へと木構造状に分類された各層の特徴項目を各植物と対応させて記憶している植物テーブルと、少なくとも前記最下層の特徴項目の情報を簡易に説明するための用語と前記最下層の特徴項目の情報を模式化した図形とをデータ構成要素とする図形データと、植物の詳細な説明及び画像データをデータ構成要素とする植物データと、を有し、
前記サーバが、
前記木構造状に分類された特徴項目群の中の前記最上層から前記最下層に到る分類経路のいずれかを前記植物テーブルを参照して選択し、選択した分類経路における層の各特徴項目の情報を簡易に説明するための各用語を選択肢として、該選択肢と前記各用語に対応する前記図形データ内の模式化した図形とを含むＷｅｂページを作成する選択肢作成手段と、
前記Ｗｅｂページを前記携帯端末に対して送信するサーバ側送受信手段とを有し、
前記携帯端末が、
前記Ｗｅｂページを表示する表示手段と、
表示された前記Ｗｅｂページ内の各選択肢の中からユーザの選択操作によって選択された選択肢の選択情報を前記サーバに対して送信するユーザ端末側送受信手段とを有し、
前記サーバがさらに、
前記サーバ側送受信手段による前記Ｗｅｂページの送信処理と前記携帯端末からの前記選択情報の受信処理とを繰り返し、前記選択情報に基づいて前記データベース内の植物テーブルから該当する植物の絞り込みを行うと共に、絞り込まれた植物の数が所定数以下となったか否かを監視し、前記所定数以下となったと判定した場合に、前記ユーザが見た実際の植物に該当する植物が絞り込まれたと判断する絞り込み手段と、
前記該当する植物が絞り込まれた時点で各植物に対応する前記植物データを前記データベースから読み出して、前記所定数以下の各植物の詳細な説明及び画像データを絞り込み結果として前記携帯端末に対して送信する植物データ読み出し手段とを有することを特徴とする植物検索システム。
【請求項２】
前記樹木の特徴を分類した特徴項目は、少なくとも樹高、落葉・常緑の情報、冬芽・頂芽情報及びとげ情報を含むことを特徴とする請求項１に記載の植物検索システム。
【請求項３】
前記葉の特徴を分類した特徴項目は、少なくとも葉形、つき方、縁の形、落葉・常緑、観葉期の情報を含むことを特徴とする請求項１または２に記載の植物検索システム。
【請求項４】
前記花の特徴を分類した特徴項目は、少なくとも花色、花つき方及び花期の情報を含むことを特徴とする請求項１乃至３のいずれかに記載の植物検索システム。
【請求項５】
前記実の特徴を分類した特徴項目は、少なくとも実形、実色及び果実期の情報を含むことを特徴とする請求項１乃至４のいずれかに記載の植物検索システム。
【請求項６】
前記植物データは、前記植物の説明として、植物の名称、別名／属名、名前の由来、特徴の情報を含むことを特徴とする請求項１乃至５のいずれかに記載の植物検索システム。
【請求項７】
前記携帯端末がさらに、年月日データを計測する時計手段を有し、前記絞り込み手段が前記年月日データから前記観葉期、花期及び果実期を前記植物テーブルから絞り込む請求項１乃至６のいずれかに記載の植物検索システム。
【請求項８】
前記携帯端末がさらに、位置情報を測定する位置情報測定手段を有し、前記絞り込み手段が前記位置情報から前記植物テーブルの絞り込みを行う請求項１乃至７のいずれかに記載の植物検索システム。
【請求項９】
前記図形データがさらに、代表的な樹皮、花及び葉の画像を有する請求項１乃至８のいずれかに記載の植物検索システム。
【請求項１０】
前記携帯端末から不明植物データである旨の入力があった際に、絞り込みが行われた各特徴項目の情報を不明植物データとして記憶する不明植物データ登録手段を前記サーバが有する請求項１乃至９のいずれかに記載の植物検索システム。
【手続補正２】
【補正対象書類名】明細書
【補正対象項目名】０００７
【補正方法】変更
【補正の内容】
【０００７】
本発明は、植物検索システムに関し、特に実際の植物に基づいて、簡易な選択肢に回答することにより、その植物データを容易に取得することが可能な植物検索システムに関し、本発明の上記目的は、ユーザが屋外で見た実際の植物がどのような植物であるのかを携帯端末を用いてその場で把握することが可能な植物検索システムであって、検索の際に利用される各植物のデータが格納されているデータベースを含むサーバと、ユーザが所有する携帯端末とが電子通信手段を介して接続され、前記データベースが、前記各植物の特徴を分類する最上層の特徴項目として樹木、葉、花及び実を含み、前記最上層の特徴項目から最下層の特徴項目へと木構造状に分類された各層の特徴項目を各植物と対応させて記憶している植物テーブルと、少なくとも前記最下層の特徴項目の情報を簡易に説明するための用語と前記最下層の特徴項目の情報を模式化した図形とをデータ構成要素とする図形データと、植物の詳細な説明及び画像データをデータ構成要素とする植物データと、を有し、前記サーバが、前記木構造状に分類された特徴項目群の中の前記最上層から前記最下層に到る分類経路のいずれかを前記植物テーブルを参照して選択し、選択した分類経路における層の各特徴項目の情報を簡易に説明するための各用語を選択肢として、該選択肢と前記各用語に対応する前記図形データ内の模式化した図形とを含むＷｅｂページを作成する選択肢作成手段と、前記Ｗｅｂページを前記携帯端末に対して送信するサーバ側送受信手段とを有し、前記携帯端末が、前記Ｗｅｂページを表示する表示手段と、表示された前記Ｗｅｂページ内の各選択肢の中からユーザの選択操作によって選択された選択肢の選択情報を前記サーバに対して送信するユーザ端末側送受信手段とを有し、前記サーバがさらに、前記サーバ側送受信手段による前記Ｗｅｂページの送信処理と前記携帯端末からの前記選択情報の受信処理とを繰り返し、前記選択情報に基づいて前記データベース内の植物テーブルから該当する植物の絞り込みを行うと共に、絞り込まれた植物の数が所定数以下となったか否かを監視し、前記所定数以下となったと判定した場合に、前記ユーザが見た実際の植物に該当する植物が絞り込まれたと判断する絞り込み手段と、前記該当する植物が絞り込まれた時点で各植物に対応する前記植物データを前記データベースから読み出して、前記所定数以下の各植物の詳細な説明及び画像データを絞り込み結果として前記携帯端末に対して送信する植物データ読み出し手段とを有することによって達成される。
【手続補正３】
【補正対象書類名】明細書
【補正対象項目名】０００８
【補正方法】変更
【補正の内容】
【０００８】
また、本発明の上記目的は、前記樹木の特徴を分類した特徴項目は、少なくとも樹高、落葉・常緑の情報、冬芽・頂芽情報及びとげ情報を含むことにより、或いは前記葉の特徴を分類した特徴項目は、少なくとも葉形、つき方、縁の形、落葉・常緑、観葉期の情報を含むことにより、或いは前記花の特徴を分類した特徴項目は、少なくとも花色、花つき方及び花期の情報を含むことにより、或いは前記実の特徴を分類した特徴項目は、少なくとも実形、実色及び果実期の情報を含むことにより、或いは前記植物データは、前記植物の説明として、植物の名称、別名／属名、名前の由来、特徴の情報を含むことにより、或いは前記携帯端末がさらに、年月日データを計測する時計手段を有し、前記絞り込み手段が前記年月日データから前記観葉期、花期及び果実期を前記植物テーブルから絞り込むことにより、或いは前記携帯端末がさらに、位置情報を測定する位置情報測定手段を有し、前記絞り込み手段が前記位置情報から前記植物テーブルの絞り込みを行うことにより、或いは前記図形データがさらに、代表的な樹皮、花及び葉の画像を有することにより、或いは不明植物データである旨の入力があった際に、絞り込みが行われた各特徴項目の情報を不明植物データとして記憶する不明植物データ登録手段を前記サーバが有することによって、より効果的に達成される。
【手続補正４】
【補正対象書類名】明細書
【補正対象項目名】００２０
【補正方法】変更
【補正の内容】
【００２０】
植物テーブルとは、各植物の特徴をテーブル化したデータであり、各植物毎に樹高、葉形、葉のつき方等がそれぞれ記憶されている。植物データとは、各植物の説明及び画像データであり、植物の名称、別名、科／属名、名前の由来等がそれぞれ記憶されている。図形データとは、後述する選択肢ごとに用意されている各選択肢の簡易な説明図と、代表的な樹皮、花、葉の簡易な説明図である。例えば、図２の植物テーブル及び植物データの項目の一例に示すように、各植物の特徴項目は木構造状に分類され、分類された各層の特徴項目の情報が図１中のデータベース１０に記憶されている。図２の例では、図２中に示すように、樹木、葉、花、実を「最上層の特徴項目」とし、その最上層の特徴項目ごとの特徴を分類した特徴項目（「樹木」の場合は図２中の「樹高」「種類」「冬芽・頂芽」等の特徴項目）を「第２層の特徴項目」としている。そして、その第２層の特徴項目ごとの特徴を分類した第３層の特徴項目（最上層が「樹木」で第２層が「樹高」の場合は、図２中の「大高木」「高木」「小高木」等の特徴項目）の情報が記憶されている。そして、図３に示す植物テーブルの一例のように、植物テーブルには、上記のように分類された各層の特徴項目の情報が植物毎に記憶されている。
【手続補正５】
【補正対象書類名】明細書
【補正対象項目名】００２６
【補正方法】変更
【補正の内容】
【００２６】
前述したように、植物テーブルは検索の際に利用される各植物の特徴項目の情報が記憶されているテーブルであり、植物データはユーザ端末２１…２ｎに最終的に送信される各植物の説明及び画像データである。また、図形データは選択肢ごとの理解が容易であるように用意されたデータである。例えば、図８に示す図形データの例では、図８中に示すように、葉のつき方であれば、葉のつき方を簡易に説明するための「互生」「対生」「輪生」「束生」等の用語と、葉のつき方をを模式化した図形とが「図形データ」として用意され、冬芽の形であれば、その形を簡易に説明するための「三角形」，「半球形」等の用語と、その形を模式化した図形とが「図形データ」として用意されている。そして、図１２に示す「ユーザ端末に表示される選択画面」の一例に示すように、ユーザ端末の表示部には、選択肢（図１２の例では、実の形）を簡易に説明するための用語（「マル形」「タマゴ形」等）と図形とが表示されるようになっている。
【手続補正６】
【補正対象書類名】明細書
【補正対象項目名】００２８
【補正方法】変更
【補正の内容】
【００２８】
樹木情報は、樹高として大高木、高木、小高木、低木、小低木、つる、とがあり、種類として常緑針葉樹、落葉針葉樹、常緑広葉樹、落葉広葉樹とがあり、冬芽・頂芽として冬芽開出、冬芽やや開出、冬芽伏生、頂芽やや小さい、頂芽同形、頂芽やや大及び頂芽大とがあり、とげとして茎針、葉針、托葉針、針状突起及び剛毛針とがある。